(57)【要約】      （修正有）【課題】足の土踏まずの凹部分も含めて、足全体を均一の温度でもって保温することができ、またあわせて遠赤外線、高波動、マイナスイオン放出セラミックを使用して、保温効果を更に高める保湿器の提供。【解決手段】足の土踏まずの部分が保温器に密着できるようにするために保温器の底面の一部に凸型部分を設けることにした。また保温器の底には足を置くためのマットを使用するが、そのマットは小分割されており、いくつもの小部屋に分けられている。そして、それぞれの小部屋の中には、遠赤外線、高波動、マイナスイオン放出セラミック等を格納してある。このようにマットを小分割することによって、それぞれの目的に適うセラミックの選択が自由になり、１種類または２種類以上のセラミックの組合せ、ならびに足の位置によってセラミックの種類を変えることも可能である。また同時にセラミックの移動または片寄りも防止できるので、足全体の加温が安定化すると共に、セラミックの効果を均一化させるのに有効である。【選択図】図１
0003119828.tif 000002
【実用新案登録請求の範囲】
【請求項１】
足の保温を目的にしたものであり、足の土踏まずの部分を含めて、足全体を常に一定の温度で加温できるものである。
【請求項２】
保温のために足を置く場所にはマットを使用して、そのマットの中には遠赤外線、高波動、マイナスイオン等を放出するセラミックが格納されている。このマットは小分割されており、それぞれの小部屋には、１種類または２種類以上のセラミックが個別に、もしくは混合して入れられている。
【考案の詳細な説明】
【考案の詳細な説明】
【産業上の利用分野】
温泉による足の温浴効果が良いことは、広く知られていることであるが、足を暖めることは、身体全体の保温にもつながり、疲労回復、ストレス解消に有効である。本考案は電源があれば、どこでも、またいつでも利用することができるものである。
【背景技術】これまで足を暖める器具類はいろいろとあるものの、いずれも一長一短があり満足できるものはない。
【考案が解決しようとする問題点】
足を暖めるとき、足の土踏まずの部分は凹状になっているために、足の裏全体が保温器に密着できず、加温むらが生じるという欠点があった。また足を置くためのマットを使用するときに、マットの中に充填されているセラミック等が、保温器を使用中にマットの中を移動したり、またある部分に片寄りができることで、一定の温度を保持できないばかりか、セラミックが保有している物理的な特性も充分に発揮できないという問題が生じている。
【問題を解決するための手段】
こうした問題点を解決するために、図面１のとおり、本体（木製）の底面の一部を、図面２で示めしてあるように凸状にすることによって、足の土踏まずの部分が保温器に密着できる構造にすることで解決することができた。これによって足全体をむらなく一定の温度によって加温することが可能となったのである。
また、足を置くためにマットを使用しているが、このマットについては、図面３ならびに図面４のとおり、いくつかに小分割されており、それぞれ小分割された小部屋の中には、遠赤外線、高波動、マイナスイオン等を放出するセラミックを１種類、または２種類以上が格納されている。マットを小分割することによって、それぞれの目的に応じて、またマットに置かれている足の位置によって、最も望ましいセラミックの選択が自由になるという利点がある。
また、マットを小分割したことによって、マットの中のセラミックが移動したり、片寄りすることを防ぐことができるので、足全体を常に均一な温度で加温することができる。同時にセラミックが保有しているそれぞれの物理的特性が、マットの表面からむらなく一定かつ均一に放出されることで、足の保温効果を一層促進することが可能となった。
本考案による保温器の全体図は、図面５に示めすとおりである。
【図１】
0003119828.tif 000003
【図２】
0003119828.tif 000004
【図３】
0003119828.tif 000005
【図４】
0003119828.tif 000006
【図５】
0003119828.tif 000007
【手続補正書】
【提出日】平成17年11月21日(2005.11.21)
【手続補正１】
【補正対象書類名】実用新案登録請求の範囲
【補正対象項目名】全文
【補正方法】変更
【補正の内容】
【実用新案登録請求の範囲】
【請求項１】
両足が入る箱（１）の中に、足をのせるマットを敷いて、その下には、シリコンラバーヒーターのシート（４）を貼ったアルミニウム板（２）を設けた足の保温器。
【請求項２】
アルミニウム板（２）の一部を凸状にかさ上げして（３）、足の土踏まずの部分が密着できるような構造をした請求項１の足の保温器。
【請求項３】
マットは縫い目をいれて、いくつかの小部屋に小分割されており、それぞれの小部屋の中には、遠赤外線、高波動、マイナスイオン等が放出されるセラミックが、１種類または２種類以上格納されている請求項１の足の保温器。
【手続補正２】
【補正対象書類名】明細書
【補正対象項目名】全文
【補正方法】変更
【補正の内容】
【考案の詳細な説明】
【技術分野】
【０００１】本考案は、足を暖めることを目的とした保温器に関するものである。
【考案が解決しようとする課題】
【０００２】足を保温器の上に置いたとき、足の土踏まずの部分は凹状になっているために、足の裏全体が保温器に密着できないために、加温むらが生じるといった欠点がある。
【０００３】また足を置く場所にはマットを使用するが、そのマットの中にはセラミックが入っており、保温器を使用中にこのセラミックが移動したり、またある部分に片寄りが生じることによって、マット全体が一定の温度で加温できないこと、またセラミックのもっている物理的な特性が均一に放出されないといった難点がある。
【課題を解決するための手段】
【０００４】こうした課題を解決するために、図６のとおり、アルミニウム板（２）の一部を凸状（３）にすることによって、足の土踏まずの部分が保温器に密着できる構造にすることで解決することができた。これによって足全体をむらなく一定の温度で加温することが可能となった。
【０００５】また、本考案では足を置く場所には布製のマット（図３、図４、図７）を使用しているが、マットはいくつかの小部屋に小分割されており、それぞれの小部屋には、遠赤外線、高波動、マイナスイオン等が放出されるセラミックが１種類または２種類以上格納されている。このようにマットを小分割することによって、セラミックの移動または片寄りを防止できるだけでなく、足を置く場所に目的に適う必要とするセラミックを自由に選択して使用することができるという利点がある。
【図面の簡単な説明】
【０００６】
【図１】本考案のマットを取り除いたときの平面図
【図２】本考案のマットを取り除いたときの正面図
【図３】本考案に使用するマットの平面図
【図４】マットの側面図
【図５】本考案の全体図
【図６】アルミニウム板の斜視図
【図７】マットの斜視図
【図８】本考案の底面からの斜視図
【図９】アルミニウム板の裏からの斜視図
【符号の説明】
【０００７】        １  保温器の箱本体
２  アルミニウム板
３  足の土踏まずがあたる凸状部分
４  シリコンラバーヒーター
５  箱本体の底板
６  底板の通気孔
７  電気のコード
【手続補正３】
【補正対象書類名】図面
【補正対象項目名】全図
【補正方法】変更
【補正の内容】
【図１】
0003119828.tif 000008
【図２】
0003119828.tif 000009
【図３】
0003119828.tif 000010
【図４】
0003119828.tif 000011
【図５】
0003119828.tif 000012
【図６】
0003119828.tif 000013
【図７】
0003119828.tif 000014
【図８】
0003119828.tif 000015
【図９】
0003119828.tif 000016